(57)【特許請求の範囲】
【請求項１】
外装ケースの内部に用紙を収納する用紙収納部と用紙に所定事項を印字する印字手段とを有し、携帯して使用されるとともに卓上に置いた状態で使用されるポータブルプリンタにおいて、
衝撃を吸収し且つ滑り止めとなる緩衝部材が外装ケースの角部を被う位置に着脱自在であり、
前記外装ケースにおける前記緩衝部材が被う位置には、バッテリーパック出入口の蓋が設けられている、
ポータブルプリンタ。
【発明の詳細な説明】
【０００１】
【発明の属する技術分野】
本発明は、操作者が腰等に装着して携帯して使用されるとともに卓上に置いても使用できるポータブルプリンタに関する。
【０００２】
【従来の技術】
従来のポータブルプリンタの一例について、図４に基づいて説明する。ポータブルプリンタ１は、操作者が腰等に装着して携帯することができる小型のラベルプリンタである。ポータブルプリンタ１の外装ケース２は、プラスチック等で形成されている。
【０００３】
外装ケース２の中には、図示しないが、サーマルヘッド及びプラテンと、ラベルロールを搬送する駆動力を発生させるモータとが設けられている。ラベルロールは、長尺状の台紙にラベルが貼り付けられたものが一般的に使用されている。
【０００４】
ポータブルプリンタ１は、外装ケース２に対して一端を軸に回動することによって開閉自在のオープンカバー３を正面に備えるとともに、ラベル排紙口４と台紙排紙口５とを有している。
【０００５】
また、外装ケース２の上面には、バッテリーパック（図示せず）を交換する際に開放するバッテリーパック出入口６が設けられている。
【０００６】
【発明が解決しようとする課題】
図４に示すような従来のポータブルプリンタ１では、外装ケース２がプラスチック等により形成されているため、携帯して使用しているとき落下させてしまうと外装ケース２が破損することがある。また、このポータブルプリンタは卓上で使用することを想定して設計されていないが、卓上で使用する場合、外装ケース２がプラスチック等により形成されていると滑りやすいため、誤って卓上から落下させてしまったり、モータの駆動により発生する振動で卓上を移動して卓上から落下してしまうことがあり、これらの場合にも、外装ケース２が破損することがある。
【０００７】
本発明は、落下の衝撃を吸収し、且つ、卓上で使用される場合の滑り止めとなる緩衝部材を備えるポータブルプリンタを得ることを目的とする。
【０００８】
【課題を解決するための手段】
請求項１記載の発明のポータブルプリンタは、携帯及び卓上で使用されるポータブルプリンタにおいて、衝撃を吸収し且つ滑り止めとなる緩衝部材がポータブルプリンタの外装ケースの角部を被う位置に着脱自在であり、前記外装ケースにおける前記緩衝部材が被う位置には、バッテリーパック出入口の蓋が設けられている。したがって、緩衝部材が滑り止めとして機能するため卓上で滑りにくく、また、携帯時に誤って落下させた場合でも緩衝部材が落下の衝撃を吸収する。
【０００９】
【発明の実施の形態】
本発明のポータブルプリンタの第一の参考の形態について、図１に基づいて説明する。ポータブルプリンタ１は外装ケース２内に、図示しないが、サーマルヘッドやプラテン，ラベルロールを収納するラベル収納部，モータを備えている。
また、ポータブルプリンタ１は、外装ケース２に対して一端を軸に回動することによって開閉自在のオープンカバー３を正面に備えるとともに、ラベル排紙口４と台紙排紙口５とを有している。ラベル排紙口４は、オープンカバー３の回動端に対向する端部の近傍に形成されており、台紙排紙口５は、オープンカバー３を閉じた状態で前記回動端に対向する端部と外装ケース２との間に形成される。
【００１０】
ラベル排紙口４は、台紙に貼り付けられたままのラベル又は台紙から剥がされたラベルを排紙するのに用いられる。台紙排紙口５は、ラベルが剥がされた台紙を排紙するのに用いられる。また、外装ケース２の上面には、バッテリーパック出入口６が設けられている。
【００１１】
本参考の形態では、外装ケース２の八つの角部にそれぞれ、ゴムで形成された緩衝部材７が取り付けられている。緩衝部材７の内面には複数個の小突起（図示せず）が形成されている。また、外装ケース２の角部には前記小突起が嵌め込まれる小孔（図示せず）が設けられており、緩衝部材７は前記小突起が前記小孔に嵌め込まれることによって、外装ケース２に着脱可能に取り付けられる。
【００１２】
このような構成において、ポータブルプリンタ１を携帯して使用しているときに誤って落下させてしまっても、床面あるいは地面には緩衝部材７が衝突するので、ゴムの弾性によって落下の衝撃が吸収され、外装ケース２が破損しにくい。また、ポータブルプリンタ１は、卓上で使用される状態では、卓の表面に緩衝部材７で接する。緩衝部材７はゴム製であるので卓の表面に対する摩擦係数が高く、滑り止めとしての効果を発揮する。したがって、使用中にモータの振動によって卓上をポータブルプリンタ１が移動することを防ぐことができ、卓上から誤って落下させる不都合を起こりにくくすることができる。
【００１３】
次に、本発明のポータブルプリンタの第二の参考の形態について、図２に基づいて説明する。なお、第一の参考の形態で説明した部分と同一部分は同一符号を用い、詳細な説明も省略する（以下、同様とする）。本参考の形態では、外装ケース２の最も短い辺である奥行き方向の四辺を被う形状の緩衝部材８が外装ケース２に取り付けられている。
【００１４】
本参考の形態の緩衝部材８も、第一の参考の形態と同じく、緩衝部材８の内面に形成された小突起（図示せず）と外装ケース２に設けられた小孔（図示せず）との嵌合により、外装ケース２に着脱可能に取り付けられる。
【００１５】
本参考の形態によっても、第一の参考の形態と同様の作用効果を得ることができる。
【００１６】
なお、第一及び第二の参考の形態では、緩衝部材７，８を外装ケース２に着脱可能としているが、接着剤を用いて貼り付けてもよい。このようにしても、緩衝部材７，８をバッテリーパック出入口６の外周からはみ出さない形状のものにすれば、バッテリーパック出入口６の開閉を妨げることがない。
【００１７】
次に、本発明のポータブルプリンタ１の実施の形態について、図３に基づいて説明する。本実施の形態では、外装ケース２の左右側面を被う形状の緩衝部材９，１０が外装ケース２に取り付けられている。
【００１８】
本実施の形態の緩衝部材９，１０も、第一及び第二の参考の形態と同じく、緩衝部材９，１０の内面に形成された小突起（図示せず）と外装ケース２に設けられた小孔（図示せず）との嵌合により、外装ケース２に着脱可能に取り付けられる。
【００１９】
本実施の形態によっても、第一及び第二の参考の形態と同様の作用効果を得ることができる。また、本実施の形態においてバッテリーパック（図示せず）の交換に際してバッテリーパック出入口６を開放する場合には、バッテリーパック出入口６を被う方の緩衝部材９を外装ケース２から取り外してから行う。また、本実施の形態においてラベルの補充や交換或いはジャム処理等に際してオープンカバー３を開放する場合には、オープンカバー３の回動端を被う方の緩衝部材１０を取り外してから行う。
【００２０】
なお、本実施の形態では、緩衝部材１０はゴムにより形成されているが、実施にあたっては、ゴムでなくても、弾性を有するとともに卓の表面に対する摩擦係数が比較的高い材料によって形成された緩衝部材が用いられていればよい。
【００２１】
【発明の効果】
請求項１記載の発明のポータブルプリンタでは、衝撃を吸収し且つ滑り止めとなる緩衝部材がポータブルプリンタの外装ケースの角部を被う位置に設けられているので、緩衝部材の滑り止めとしての機能により卓上で滑りにくくすることができ、また、卓上から、或いは携帯時に誤って落下させた場合でも、緩衝部材が落下の衝撃を吸収するため、外装ケースを破損しにくくすることができる。
【図面の簡単な説明】
【図１】  本発明のポータブルプリンタの第一の参考の形態を示す斜視図である。
【図２】  本発明のポータブルプリンタの第二の参考の形態を示す斜視図である。
【図３】  本発明のポータブルプリンタの実施の形態を示す斜視図である。
【図４】  従来のポータブルプリンタの一例を示す斜視図である。
【符号の説明】
１      ポータブルプリンタ
２      外装ケース
７，８，９，１０  緩衝部材
【図１】
0004251464.tif 000002
【図２】
0004251464.tif 000003
【図３】
0004251464.tif 000004
【図４】
0004251464.tif 000005